【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
良溶媒に有機顔料を溶解した有機顔料溶液と、前記良溶媒と相溶性でありかつ前記有機顔料に対しては貧溶媒となる溶媒とを、接触させて前記有機顔料を析出させる有機顔料の製造方法であって、
前記有機顔料溶液と貧溶媒とをそれぞれ異なる原料供給流路から供給し、出口流路内にて２液を混合することにより有機顔料を形成するにあたり、前記出口流路内の流体の下記数式（１）で表されるレイノルズ数が、４０００から１００００であり、良溶媒が、Ｎ，Ｎ−ジメチルホルムアミド、Ｎ，Ｎ−ジメチルアセトアミド、１-メチル-２-ピロリドンまたはジメチルスルホキシドであることを特徴とする有機顔料の製造方法。
【数１】
2015110690.tif 000001
（数式（１）中、Ｄは出口流路の円相当径［ｍ］、ｕは出口流路の流体の線速度［ｍ/ｓ］、ρは出口流路の流体の密度［ｋｇ／ｍ3］、μは出口流路の流体の粘性係数［Ｐａ・ｓ］を表す。）
【請求項２】
貧溶媒が、水もしくはアルコール類またはこれら混合物であることを特徴とする請求項１記載の有機顔料の製造方法。
【請求項３】
有機顔料が、下記一般式（１）で示されるアルミフタロシアニン顔料であることを特徴とする請求項１または２記載の有機顔料の製造方法。
【化１】
2015110690.tif 000002
［式中、Ｘ1〜Ｘ4はそれぞれ独立に、置換基を有してもよいアルキル基、置換基を有してもよいアリール基、置換基を有してもよいシクロアルキル基、置換基を有してもよい複素環基、置換基を有してもよいアルコキシル基、置換基を有してもよいアリールオキシ基、置換基を有してもよいアルキルチオ基、または、置換基を有してもよいアリールチオ基を表す。
Ｙl〜Ｙ4はそれぞれ独立に、ハロゲン原子、ニトロ基、置換基を有してもよいフタルイミドメチル基、または、置換基を有してもよいスルファモイル基を表す。
Ｍ は、Ａｌを表す。
Ｚは−ＯＰ（＝Ｏ）Ｒ1Ｒ2を表し、ここでＲ1およびＲ2はそれぞれ独立に、水素原子、水酸基、置換基を有してもよいアルキル基、置換基を有してもよいアリール基、置換基を有してもよいアルコキシル基、または、置換基を有してもよいアリールオキシ基を表し、Ｒ1、およびＲ2が互いに結合して環を形成しても良い。
ｍ1、ｍ2、ｍ3、ｍ4、ｎ1、ｎ2、ｎ3、およびｎ4は、それぞれ独立に、０〜４の整数を表し、ｍ1＋ｎ1、ｍ2＋ｎ2、ｍ3＋ｎ3、ｍ4＋ｎ4は、各々、０〜４で、同一でも異なっても良い。］
【請求項４】
請求項１〜３いずれか記載の方法により製造された有機顔料、およびバインダー樹脂を含むことを特徴とする有機顔料着色組成物の製造方法。
【請求項５】
さらに、有機溶媒を含むことを特徴とする請求項４に記載の有機顔料着色組成物の製造方法。
【手続補正２】
【補正対象書類名】明細書
【補正対象項目名】００１４
【補正方法】変更
【補正の内容】
【００１４】
本発明は、良溶媒に有機顔料を溶解した有機顔料溶液と、前記良溶媒と相溶性でありかつ前記有機顔料に対しては貧溶媒となる溶媒とを、それぞれ異なる原料供給流路から供給し、原料供給流路と結合する出口流路内にて２液が混合することにより顔料粒子を形成するにあたり、良溶媒としてＮ，Ｎ−ジメチルホルムアミド、Ｎ，Ｎ−ジメチルアセトアミド、１-メチル-２-ピロリドンまたはジメチルスルホキシドを用い、前記供給流路内の流体を下記数式（１）で表されるレイノルズ数が４０００から１００００の条件下で有機顔料を析出させることを特徴とする有機顔料の製造方法に関するものである。
【手続補正３】
【補正対象書類名】明細書
【補正対象項目名】００１６
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００６２
【補正方法】変更
【補正の内容】
【００６２】
＜良溶媒＞
有機顔料の良溶媒について説明する。
良溶媒は用いる顔料を溶解することが可能で、前記貧溶媒と相溶するもしくは均一に混ざるものである。有機顔料の良溶媒への溶解度は０．２重量パーセント以上であることが好ましく、０．５重量パーセント以上であることがより好ましい。溶解度に特に上限はないが、通常用いられる有機顔料は５０重量パーセント以下であることが実際的である。この溶解度は酸またはアルカリの存在下で溶解された場合の溶解度であってもよい。貧溶媒と良溶媒との溶解度もしくは相溶性の好ましい範囲は前述のとおりである。
【手続補正８】
【補正対象書類名】明細書
【補正対象項目名】００６３
【補正方法】変更
【補正の内容】
【００６３】
良溶媒としては、
【手続補正９】
【補正対象書類名】明細書
【補正対象項目名】００６４
【補正方法】変更
【補正の内容】
【００６４】
ジメチルスルホキシド、Ｎ,Ｎ-ジメチルホルムアミド、１-メチル-２-ピロリドン、Ｎ,Ｎ-ジメチルアセトアミドが挙げられる。
【手続補正１０】
【補正対象書類名】明細書
【補正対象項目名】００６６
【補正方法】削除
【補正の内容】
【手続補正１１】
【補正対象書類名】明細書
【補正対象項目名】００６７
【補正方法】削除
【補正の内容】
【手続補正１２】
【補正対象書類名】明細書
【補正対象項目名】００６８
【補正方法】削除
【補正の内容】
【手続補正１３】
【補正対象書類名】明細書
【補正対象項目名】００６９
【補正方法】削除
【補正の内容】
【手続補正１４】
【補正対象書類名】明細書
【補正対象項目名】０１４４
【補正方法】変更
【補正の内容】
【０１４４】
以下に、本発明を実施例に基づいて説明するが、本発明はこれによって限定されるものではない。なお、実施例及び比較例中、特に断りの無い限り「部」とは「重量部」を意味する。また、「ＰＧＭＡＣ」とはプロピレングリコールモノメチルエーテルアセテートを、「ＤＭＦ」とはＮ，Ｎ,-ジメチルホルムアミドを、「ＤＭＡ」とはＮ，Ｎ,-ジメチルアセトアミドを、「ＮＭＰ」とは１-メチル-２-ピロリドンを「ＤＭＳＯ」とはジメチルスルホキシドを表す。尚、表１中、実施例１−２、実施例２−２、実施例３−２、実施例４−２、実施例５−１、実施例５−２、実施例５−３、実施例６−２として記載されている例は、いずれも参考例である。
【手続補正１５】
【補正対象書類名】明細書
【補正対象項目名】０１６４
【補正方法】変更
【補正の内容】
【０１６４】
［参考例１−２］（ＰＢ−１２）および（ＤＧ−１２）の作成
有機顔料の析出を、有機顔料溶液を ３５ｍＬ/分, 水を有機顔料溶液の７倍流量にて混合させる以外は実施例１−１と同様にして、青色有機顔料（ＰＢ−１２）および緑色着色組成物（ＤＧ−１２）を作製した。
【手続補正１６】
【補正対象書類名】明細書
【補正対象項目名】０１７３
【補正方法】変更
【補正の内容】
【０１７３】
［参考例２−２］（ＰＢ−２２）および（ＤＧ−２２）の作成
有機顔料の析出を、有機顔料溶液を ３５ｍＬ/分, 水を有機顔料溶液の７倍流量にて混合させる以外は実施例２−１と同様にして、青色有機顔料（ＰＢ−２２）および緑色着色組成物（ＤＧ−２２）を作製した。
【手続補正１７】
【補正対象書類名】明細書
【補正対象項目名】０１８２
【補正方法】変更
【補正の内容】
【０１８２】
［参考例３−２］（ＰＢ−３２）および（ＤＧ−３２）の作成
有機顔料の析出を、有機顔料溶液を ３５ｍＬ/分, 水を有機顔料溶液の７倍流量にて混合させる以外は実施例３−１と同様にして、青色有機顔料（ＰＢ−３２）および緑色着色組成物（ＤＧ−３２）を作製した。
【手続補正１８】
【補正対象書類名】明細書
【補正対象項目名】０１８５
【補正方法】変更
【補正の内容】
【０１８５】
［参考例４−２］（ＰＢ−４２）および（ＤＧ−４２）の作成
有機顔料の析出を、有機顔料溶液を ３５ｍＬ/分, 水を有機顔料溶液の７倍流量にて混合させる以外は実施例４−１と同様にして、青色有機顔料（ＰＢ−４２）および緑色着色組成物（ＤＧ−４２）を作製した。
【手続補正１９】
【補正対象書類名】明細書
【補正対象項目名】０１８７
【補正方法】変更
【補正の内容】
【０１８７】
［参考例５−１］（ＰＢ−５１）および（ＤＧ−５１）の作成
有機顔料溶液の調整をＤＭＦの代わりに９８％硫酸を使用し、またリン酸ジフェニル５３．９部を０部に変更した以外は実施例１−１同様にして、一般式（２）で表される青色有機顔料（ＰＢ−５１）および緑色着色組成物（ＤＧ−５１）を作製した。
【手続補正２０】
【補正対象書類名】明細書
【補正対象項目名】０１８８
【補正方法】変更
【補正の内容】
【０１８８】
［参考例５−２］（ＰＢ−５２）および（ＤＧ−５２）の作成
有機顔料の析出を、有機顔料溶液を ３５ｍＬ/分, 水を有機顔料溶液の７倍流量にて混合させる以外は実施例５−１と同様にして、青色有機顔料（ＰＢ−５２）および緑色着色組成物（ＤＧ−５２）を作製した。
【手続補正２１】
【補正対象書類名】明細書
【補正対象項目名】０１８９
【補正方法】変更
【補正の内容】
【０１８９】
［参考例５−３］（ＰＢ−５３）および（ＤＧ−５３）の作成
有機顔料の析出を、有機顔料溶液を ２００ｍＬ/分, 水を有機顔料溶液の７倍流量にて混合させる以外は実施例５−１と同様にして、青色有機顔料（ＰＢ−５３）および緑色着色組成物（ＤＧ−５３）を作製した。
【手続補正２２】
【補正対象書類名】明細書
【補正対象項目名】０１９２
【補正方法】変更
【補正の内容】
【０１９２】
［参考例６−２］（ＰＢ−６２）および（ＤＧ−６２）の作成
有機顔料の析出を、有機顔料溶液を ３５ｍＬ/分, 水を有機顔料溶液の７倍流量にて混合させる以外は実施例６−１と同様にして、青色有機顔料（ＰＢ−６２）および緑色着色組成物（ＤＧ−６２）を作製した。
【手続補正２３】
【補正対象書類名】明細書
【補正対象項目名】０２２１
【補正方法】変更
【補正の内容】
【０２２１】
実施例のように、レイノルズ数が４０００〜１００００以下の範囲で混合したものは、レイノルズ数が１００００を超える比較例と比較して細かい粒子が少なく、実施例の着色組成物の粘度安定性が良好である結果が得られた。